(57)【特許請求の範囲】
【請求項１】
作業台（４）の天板（６）は、天壁（１３）と、天壁（１３）の外側部から下方突出した外壁（１４）と、天壁（１３）の外壁（１４）よりも内側方から下方突出した中間壁（１５）とを備え、前記外壁（１４）はその下端から内側方に突出した外リブ（１６）を有し、中間壁（１５）はその下端から外側方に突出した中間リブ（１７）を有しており、前記天板（６）に補助具（３）を着脱自在に取り付けるための補助具取付装置であって、
補助具（３）の上部に固定された固定体（３３）と、固定体（３３）に上部が揺動自在に枢支された揺動体（３４）とを有し、前記固定体（３３）には、外リブ（１６）に下方から当接する受け面（５８）と、この受け面（５８）が外リブ（１６）に当接した状態で内方に移動することにより外壁（１４）に外側方から当接する当接面（５９）と、前記内方移動により中間リブ（１７）に係脱自在に係合して固定体（３３）の上下移動を規制する係合部（６１）とが設けられ、
前記揺動体（３４）には、枢支部（５１）下方に揺動方向に突出したロック部（６３）が設けられ、ロック部（６３）の下部側に、外方に揺動して前記受け面（５８）との間で外リブ（１６）を上下に挟持すると共に前記当接面（５９）との間で外リブ（１６）を内外方向に挟持する円弧状のロック面（６７）が設けられ、このロック面（６７）の始端上側に、受け面（５８）を外リブ（１６）に下から当接するときに外リブ（１６）によって押動されてロック部（６３）を内方へ後退させる押動面（６８）が設けられていることを特徴とする補助具取付装置。
【請求項２】
固定体（３３）は、補助具（３）が固定された底壁（３７）と上部が揺動体（３４）を枢支する一対の起立壁（３８）とを備え、一対の起立壁（３８）の下部の外側部分に前記受け面（５８）と当接面（５９）とが設けられ、下部の内側部分に係合部（６１）が設けられ、係合部（６１）は外方に向けて没入した係合溝により構成されていることを特徴とする請求項１に記載の補助具取付装置。
【請求項３】
揺動体（３４）は、各起立壁（３８）の外面に沿う一対の側壁（３９）と、一対の側壁（３９）の下部を連結していて天板（６）外から指掛け可能な指掛け部（４０）とを有し、各側壁（３９）は、上部に起立壁（３８）に枢支される枢支部（５１）が設けられ、この枢支部（５１）下方に外方突出したロック部（６３）が設けられ、固定体（３３）の受け面（５８）が外リブ（１６）に当接しかつ当接面（５９）が外壁（１４）に当接したときに、揺動体（３４）の重心（Ｇ）が枢支部（５１）よりも天板（６）内方に位置し、揺動体（３４）の自重によってロック部（６３）のロック面（６７）が外リブ（１６）を天板（６）外方に押圧するように構成されていることを特徴とする請求項２に記載の補助具取付装置。
【請求項４】
前記揺動体（３４）の揺動方向前後部分に、第１ロック部（６３ａ）と第２ロック部（６３ｂ）とが設けられ、第１ロック部（６３ａ）と第２ロック部（６３ｂ）には、揺動方向に略対称形状のロック面（６７）と押動面（６８）とが形成され、前記第１ロック部（６３ａ）のロック面（６７）と第２ロック部（６３ｂ）のロック面（６７）とは枢支部（５１）までの距離が異なる円弧面であることを特徴とする請求項１〜３のいずれかに記載の補助具取付装置。
【発明の詳細な説明】
【技術分野】
【０００１】
本発明は、作業台にアウトリガー装置等の補助具を着脱自在に取り付けるための補助具取付装置に関するものである。
【背景技術】
【０００２】
作業台の天板は、天壁と天壁の外側部から下方突出した外壁と天壁の外壁よりも内側方から下方突出した中間壁とを備え、前記外壁はその下端から内側方に突出した外リブを有し、中間壁はその下端から外側方に突出した中間リブを有したものがあり、この作業台の天板にアウトリガー装置等の補助具を着脱自在に取り付けることがある。このように作業台に補助具を着脱自在に取り付けるための補助具取付装置には、アウトリガー装置等の補助具の上部に設けたものがある。
【０００３】
この種の従来の補助具取付装置には、補助具に固着された固定金具を備え、この固定金具は天板の外壁の外面に添設される支持部と、該支持部から外リブの下方に向けて延びるブラケット部とを有し、該ブラケット部に連結手段を介して可動金具を連結し、前記連結手段は、前記可動金具を固定金具に対して、前記外リブよりも内側かつ下側の待機位置と、該待機位置の上方で外壁の内方に位置する上動位置と、外壁の内側に進入する係止位置との間を移動可能とするように構成され、前記可動金具は、前記係止位置に移動されたときに係脱自在に係止する係止手段を設け、前記可動金具と固定金具の間に、前記可動金具が前記係止位置に移動された状態で移動不能に固定するロック手段を設けてなるものがある（例えば特許文献１）。
【先行技術文献】
【特許文献】
【０００４】
【特許文献１】特開２０１１−２４６９０７号公報
【発明の概要】
【発明が解決しようとする課題】
【０００５】
しかし、従来では、固定金具及び可動金具を天板の外壁にのみ取り付けるようにしていたため、天板に対して補助具取付装置が狭い範囲に片持ち状に固定され、補助具取付装置乃至補助具の荷重を天板の外壁で集中して受けるようになり、天板の外壁が変形し易くなったりして、補助具取付装置を天板に対して強固に取り付けることができなかった。
また、支持部やブラケット部を有する複雑な構造の固定金具と、スプリングや軸部材やナット等を有する連結手段と、複雑な形状の可動金具と、ロックピン等により構成されたロック手段が必要であった。このため補助具取付装置は構成部材が多くて構造が複雑であり、製造が面倒で製造費が高く付いた。
【０００６】
また、補助具を作業台に取り付ける場合、固定金具の支持部を天板の外壁の外面に当接すると共に、ブラケット部を外リブの下面に当接した後に、可動金具を待機位置から上動位置に向けて軸部材を支点として起立回動させ、その後軸部材を摺動させて可動金具を上動位置から係止位置に移動させ、可動金具の移動を回動と摺動を同時に行う複合的な一連の動作を行う必要があり、補助具の取り付けが非常に面倒であった。また、補助具を取り外す場合には、可動金具を係止位置から上動位置を経て待機位置に戻す必要があり、取り付けとは逆の一連の動作を行う必要があり、取外し作業も面倒であった。
【０００７】
本発明は上記問題点に鑑み、補助具を天板に強固に取り付けることができ、しかも、構造が簡単で製造容易で安価に製造することができると共に、補助具の作業台の天板への取り付けや取り外しを簡単になし得る補助具取付装置を提供することを目的としている。
【課題を解決するための手段】
【０００８】
本発明における課題解決のための具体的手段は、次の通りである。
この技術的課題を解決する本発明の技術的手段は、作業台４の天板６は、天壁１３と、天壁１３の外側部から下方突出した外壁１４と、天壁１３の外壁１４よりも内側方から下方突出した中間壁１５とを備え、前記外壁１４はその下端から内側方に突出した外リブ１６を有し、中間壁１５はその下端から外側方に突出した中間リブ１７を有しており、前記天板６に補助具３を着脱自在に取り付けるための補助具取付装置であって、
補助具３の上部に固定された固定体３３と、固定体３３に上部が揺動自在に枢支された揺動体３４とを有し、前記固定体３３には、外リブ１６に下方から当接する受け面５８と、この受け面５８が外リブ１６に当接した状態で内方に移動することにより外壁１４に外側方から当接する当接面５９と、前記内方移動により中間リブ１７に係脱自在に係合して固定体３３の上下移動を規制する係合部６１とが設けられ、
前記揺動体３４には、枢支部５１下方に揺動方向に突出したロック部６３が設けられ、ロック部６３の下部側に、外方に揺動して前記受け面５８との間で外リブ１６を上下に挟持すると共に前記当接面５９との間で外リブ１６を内外方向に挟持する円弧状のロック面６７が設けられ、このロック面６７の始端上側に、受け面５８を外リブ１６に下から当接するときに外リブ１６によって押動されてロック部６３を内方へ後退させる押動面６８が設けられている点にある。
【０００９】
また、本発明の他の技術的手段は、固定体３３は、補助具３が固定された底壁３７と上部が揺動体３４を枢支する一対の起立壁３８とを備え、一対の起立壁３８の下部の外側部分に前記受け面５８と当接面５９とが設けられ、下部の内側部分に係合部６１が設けられ、係合部６１は外方に向けて没入した係合溝により構成されている点にある。
また、本発明の他の技術的手段は、揺動体３４は、各起立壁３８の外面に沿う一対の側壁３９と、一対の側壁３９の下部を連結していて天板６外から指掛け可能な指掛け部４０とを有し、各側壁３９は、上部に起立壁３８に枢支される枢支部５１が設けられ、この枢支部５１下方に外方突出したロック部６３が設けられ、固定体３３の受け面５８が外リブ１６に当接しかつ当接面５９が外壁１４に当接したときに、揺動体３４の重心Ｇが枢支部５１よりも天板６内方に位置し、揺動体３４の自重によってロック部６３のロック面６７が外リブ１６を天板６外方に押圧するように構成されている点にある。
【００１０】
また、本発明の他の技術的手段は、前記揺動体３４の揺動方向前後部分に、第１ロック部６３ａと第２ロック部６３ｂとが設けられ、第１ロック部６３ａと第２ロック部６３ｂには、揺動方向に略対称形状のロック面６７と押動面６８とが形成され、前記第１ロック部６３ａのロック面６７と第２ロック部６３ｂのロック面６７とは枢支部５１までの距離が異なる円弧面である点にある。
【発明の効果】
【００１１】
本発明によれば、補助具を作業台に取り付けた後には、ロック部のロック面が外リブを外方に押圧し、これによりロック面が受け面との間で外リブを上下に挟持すると共に当接面との間で外リブを内外方向に挟持し、かつ係合部が中間リブに係合した状態にロックされるので、固定体が天板の外壁と中間壁とに跨って固定されるようになり、このため、補助具取付装置乃至補助具を天板の外壁と中間壁とに亘って広い範囲に取り付けることができて、その荷重を天板の広い範囲に分散して受けることができ、荷重の集中による天板の外壁の変形等も防止でき、補助具を天板に両持ちで強固に取り付けることができる。
【００１２】
また、補助具を作業台に取り付ける場合には、固定体を下方から天板に近づけて受け面を天板の外リブに下方から当接させ、この当接状態で固定体を内方に移動すればよく、固定体乃至補助具取付装置が天板に固定され、補助具取付装置を介して補助具が天板に取り付けられる。従って、補助具を作業台の天板に簡単に取り付けることができる。
また、補助具を作業台から取り外す場合、指掛け部に指をかけて内方に押圧して揺動体を内方に揺動させた後、固定体を外方に移動させると、係合部が中間リブから外れ、その後、固定体を下方に移動させると、固定体及び揺動体が天板から下方に離間し、補助具取付装置が天板から外れる。従って、補助具を作業台の天板から簡単に取り外すことができる。
【００１３】
また、補助具取付装置は、固定体と、固定体に上部が揺動自在に枢支された揺動体とを有していればよく、構成部材が少なくて装置全体の構造が簡単であり、補助具取付装置を容易かつ安価に製造することができる。
【図面の簡単な説明】
【００１４】
【図１】本発明の第１実施形態を示す補助具取付装置の正面図である。
【図２】同作業台に補助具を取り付けた状態の斜視図である。
【図３】同作業台に補助具を取り付けた状態の正面図である。
【図４】同補助具及び補助具取付装置の斜視図である。
【図５】同補助具取付装置の分解斜視図である。
【図６】同作業台に補助具を取り付ける工程を示す正面図である。
【図７】同作業台に補助具を取り付ける他の工程を示す正面図である。
【図８】第２実施形態を示す作業台に取り付けた状態の補助具取付装置の正面図である。
【図９】同他の作業台に補助具を取り付けた状態の補助具取付装置の正面図である。
【発明を実施するための形態】
【００１５】
以下、本発明の実施の形態を図面に基づいて説明する。
図１〜図７は本発明の第１実施形態を示している。図２及び図３において、本発明の補助具取付装置１によって補助具３が取り付けられる作業台４は、例えば図２に示すように、天板６の長手方向の両端部に脚体７を折畳み自在に有し、各脚体７は、一対の脚支柱８に複数のステップ９を架設してなり、それぞれの脚支柱８に延長支柱１０が伸縮自在に内嵌されており、延長支柱１０は、所定長さに伸長させた状態で図示省略のロック機構により脚支柱８に締め付け固定され、これにより天板６を任意の高さに設定できるように構成されている。
【００１６】
天板６は、図１にも示すように、作業者を搭乗させる長方形状の天壁１３を備え、天壁１３の幅方向の外側部から下方突出した外壁１４と天壁１３の外壁１４よりも内側方から下方突出した中間壁１５とを備え、前記外壁１４はその下端から内側方に突出した外リブ１６を有し、中間壁１５はその下端から外側方に突出した中間リブ１７を有している。
図２〜図４において、補助具３は、アウトリガー装置により構成され、補助具取付装置１に固着される主支柱２０と、該主支柱２０から接地面に向けて伸縮自在に延びるスライド支柱２１とを備え、スライド支柱２１を主支柱２０の長手方向に進退自在に挿入している。スライド支柱２１の外面に案内凹溝２３が長手方向に設けられ、案内凹溝２３内に長手方向摺動自在に嵌合保持された摺動体２４を有するねじ軸２５が主支柱２０の下部から取付孔を介して外方突出され、このねじ軸２５の外方突出部に蝶ナット２６が螺合されており、蝶ナット２６を締め付けることによりスライド支柱２１を主支柱２０に締め付け固定できるようになっている。
【００１７】
主支柱２０の上部に補助具取付装置１が装着され、スライド支柱２１の下部に接地部材２８が一対の支持板２９を介してボルトナット３０により取り付けられ、接地部材２８はスライド支柱２１の下部にボルトナット３０のボルト軸廻りに首振り自在に取り付けられている。
図１〜図６において、補助具取付装置１は、補助具３の上部に固定された固定体３３と、固定体３３に上部が揺動自在に枢支された揺動体３４とを有している。固定体３３は、底壁３７と一対の起立壁３８とを側面視コの字状に備え、揺動体３４は、各起立壁３８の外面に沿う一対の側壁３９と、一対の側壁３９の下部を連結した指掛け部４０とを有し、これら固定体３３と揺動体３４とはアルミ、鉄板、合成樹脂その他によってそれぞれ一体に形成されている。
【００１８】
一対の側壁３９の上部は対応する起立壁３８の上部にそれぞれ揺動自在に枢支され、揺動体３４が固定体３３に揺動自在に支持されている。
即ち、図５に示すように、一対の側壁３９の上部に取付孔が設けられ、これに対応して起立壁３８の上部に取付孔４２が設けられており、対応する側壁３９の上部と起立壁３８の上部とに取付孔４２を介してそれぞれボルト４４が挿通され、各ボルト４４の挿通端部にナット４５を螺合して締め付け、側壁３９とボルト４４の頭部との間に座金４７とスペーサ４８とを介在すると共に、ナット４５と起立壁３８との間に座金４９を介在している。これにより、各側壁３９の上部にボルト４４等を有する枢支部５１が設けられ、揺動体３４（一対の側壁３９）の上部が固定体３３（一対の起立壁３８）の上部に枢支部５１（ボルト４４軸）廻りに揺動自在に枢支されている。
【００１９】
固定体３３の底壁３７は側方に長い長方形板状に形成され、底壁３７の下面に補助具３の主支柱２０の上端が溶接等により固定されている。
一対の起立壁３８は底壁３７の幅方向両端部から上方突出されている。各起立壁３８は直角三角形の山形状に上方突出した支持部５４と、外側部に鈎形に上方突出した係合突部５５と、支持部５４の下部と係合突部５５の下部とを連結する受け部５６とを有し、受け部５６の上面が外リブ１６に下方から当接する受け面５８とされ、受け面５８の長さは外リブ１６の突出長さよりも大に設定されている。係合突部５５の内端面が外壁１４に外側方から当接する当接面５９とされている。支持部５４の上部に前記取付孔が設けられ、支持部５４の内側部に係合部６１が設けられている。この係合部６１は外方に向けて没入した係合溝により構成されている。
【００２０】
而して、一対の起立壁３８の下部の外側部分に、受け面５８と当接面５９とが設けられ、受け面５８が外リブ１６に当接した状態で固定体３３を内方に移動することにより受け面５８が外壁１４に外側方から当接するように構成されている。一対の起立壁３８の下部の内側部分に係合部６１が設けられ、前記固定体３３の内方移動により係合部６１が中間リブ１７に係脱自在に係合して固定体３３の上下移動を規制するようになっている。
【００２１】
揺動体３４の各側壁３９には、上部に前述した枢支部５１が設けられ、この枢支部５１下方に揺動方向の外方に突出したロック部６３と、揺動方向の内方に突出した突出部６４とが設けられ、揺動体３４の重心Ｇが枢支部５１の中心を通る垂線Ｘよりも内方にあり、枢支部５１よりも下方であってロック部６３よりも内方に設定されている。
而して、固定体３３の受け面５８が外リブ１６に当接しかつ当接面５９が外壁１４に当接したときに、揺動体３４の重心Ｇが枢支部５１よりも天板６内方に位置し、揺動体３４の自重によってロック部６３のロック面が外リブ１６を天板６外方に押圧するように構成されている。
【００２２】
各ロック部６３の下部側に、外方に揺動して前記受け面５８との間で外リブ１６を上下に挟持すると共に前記当接面５９との間で外リブ１６を内外方向に挟持する円弧状のロック面６７が設けられ、このロック面６７の始端上側に、受け面５８を外リブ１６に下から当接するときに外リブ１６によって押動されてロック部６３を内方へ後退させる押動面６８が設けられている。
【００２３】
ロック面６７は、枢支部５１を中心とした円の一部に近い円弧状であって、枢支部５１からの距離が外方に向かうに従って徐々に小さくなる円弧状に形成されている。押動面６８はロック面６７の上方にあって外方下がりに傾斜している。
揺動体３４の指掛け部４０は前後に長い板状に形成され、その両端部が連結腕６９を介して一対の側壁３９の下部にそれぞれ連結され、外方上がりに傾斜して配置されて外方から指を掛けることが可能になっている。
【００２４】
上記第１実施形態によれば、補助具３を作業台４に取り付ける場合、図２に示すように、作業台４の脚体７を展開して設置し、作業台４を自立させおく。この状態で、補助具取付装置１を上に向けて補助具３を把持し、図６〜図７に示すように、固定体３３を下方から天板６に近づけて受け面５８を天板６の外リブ１６に下方から当接させる。このとき、ロック部６３の押動面６８が外リブ１６によって押動され、これにより揺動体３４を内方（矢印ａ方向）に揺動させてロック部６３を内方へ後退させることができ、ロック部６３が邪魔になることもなく受け面５８を外リブ１６に簡単に当接できる。
【００２５】
次に、この当接状態で、図１に示すように固定体３３を内方に移動すると、固定体３３の当接面５９が外壁１４に外側方から当接すると共に、係合部６１が中間リブ１７に係合して、固定体３３の上下移動が規制される。また、このとき揺動体３４が自重により外方（矢印ｂ方向）に戻り揺動する。
その結果、ロック部６３のロック面６７が外方に揺動して前記受け面５８との間で外リブ１６を上下に挟持すると共に前記当接面５９との間で外リブ１６を内外方向に挟持し、係合部６１が中間リブ１７に係合した状態に保持され、これにより固定体３３乃至補助具取付装置１が天板６に固定され、補助具取付装置１を介して補助具３が天板６に取り付けられる。従って、補助具３を作業台４の天板６に簡単に取り付けることができる。
【００２６】
補助具３を作業台４に取り付けた後には、揺動体３４の自重によってロック部６３のロック面６７が外リブ１６を外方に押圧し、これによりロック面６７が受け面５８との間で外リブ１６を上下に挟持すると共に当接面５９との間で外リブ１６を内外方向に挟持し、かつ係合部６１が中間リブ１７に係合した状態にロックされる。従って、固定体３３が天板６の外壁１４と中間壁１５とに跨って固定されるため、補助具取付装置１乃至補助具３を天板６の外壁１４と中間壁１５とに亘って広い範囲に取り付けることができて、その荷重を天板６の広い範囲に分散して受けることができ、荷重の集中による天板６の外壁１４の変形等も防止でき、補助具３を天板６に両持ちで強固に取り付けることができる。
【００２７】
また、補助具３を作業台４から取り外す場合、指掛け部４０に指をかけて内方に押圧して、揺動体３４を図７に２点差線で示すように内方に揺動させた後、固定体３３を外方に移動させると、係合部６１が中間リブ１７から外れる。その後、固定体３３を下方に移動させると、固定体３３及び揺動体３４が天板６から下方に離間し、補助具取付装置１が天板６から外れる。従って、補助具３を作業台４の天板６から簡単に取り外すことができる。
【００２８】
また、補助具取付装置１は、固定体３３と、固定体３３に上部が揺動自在に枢支された揺動体３４とを有していればよく、構成部材が少なくて装置全体の構造が簡単であり、補助具取付装置１を容易かつ安価に製造することができる。
図８及び図９は第２実施形態を示し、一対の側壁３９の枢支部５１下方であって揺動方向の前後部分に、第１ロック部６３（６３ａ）と第２ロック部６３（６３ｂ）とがそれぞれ設けられている。これら第１ロック部６３ａと第２ロック部６３ｂには、揺動方向に略対称形状のロック面６７と押動面６８とが形成され、前記第１ロック部６３ａのロック面６７と第２ロック部６３ｂのロック面６７とは枢支部５１までの距離が互いに異なる円弧面に形成され、第２ロック部６３ｂのロック面６７が第１ロック部６３ａのロック面６７よりも枢支部５１までの距離が長くなっている。
【００２９】
従って、揺動体３４を固定体３３に対して内外逆向きになるように枢支することによって、図８に示すように第１ロック部６３ａを外方に向ければ、天板６の外リブ１６の突出長さが長い作業台４の天板６に対して補助具取付装置１を装着でき、図９に示すように第２ロック部６３ｂを外方に向ければ、天板６の外リブ１６の突出長さが短い作業台４の天板６に対して補助具取付装置１を装着できるようになっている。
【００３０】
なお、本発明が適用される補助具３はアウトリガー装置に限定されず、手摺装置その他であってもよく、天板６に取り付けることにより作業台４に付加価値を与えるものであればよい。
また、前記実施形態では、揺動体３４の自重によって、ロック部６３のロック面６７で天板６の外リブ１６を外方に押圧するようにしているが、これに代え、揺動体３４を外方に付勢するためのバネ等の付勢手段を設け、この付勢手段の付勢力によって、ロック部６３のロック面６７で天板６の外リブ１６を外方に押圧するようにしてもよい。
【００３１】
また、本発明の補助具取付装置１によって補助具３が取り付けられる作業台４は、例えば高所作業のために使用される脚立その他であればよく、図２に示すものに限定されない。
【符号の説明】
【００３２】
１      補助具取付装置
３      補助具
４      作業台
６      天板
１３    天壁
１４    外壁
１５    中間壁
１６    外リブ
１７    中間リブ
３３    固定体
３４    揺動体
３７    底壁
３８    起立壁
３９    側壁
４０    指掛け部
５１    枢支部
５８    受け面
５９    当接面
６１    係合部
６３    ロック部
６７    ロック面
６８    押動面
Ｇ      重心
【図１】
0006397346.tif 000002
【図２】
0006397346.tif 000003
【図３】
0006397346.tif 000004
【図４】
0006397346.tif 000005
【図５】
0006397346.tif 000006
【図６】
0006397346.tif 000007
【図７】
0006397346.tif 000008
【図８】
0006397346.tif 000009
【図９】
0006397346.tif 000010